【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】サブピクチャデータ作成装置および方法
【手続補正２】
【補正対象書類名】明細書
【補正対象項目名】特許請求の範囲
【補正方法】変更
【補正の内容】
【特許請求の範囲】
【請求項１】
表示形態が変換され得る主映像に対して合成されるサブピクチャを表示するためのサブピクチャデータを作成するサブピクチャデータ作成手段と、
このサブピクチャデータ作成手段によって作成されるサブピクチャデータに対応するサブピクチャの表示状態を確認するためにサブピクチャと合成される背景画像の画像データを入力し、主映像における変換後の表示形態に対応した画像データに変換して出力する変換手段と、
前記サブピクチャデータ作成手段によって作成されるサブピクチャデータに対応するサブピクチャと前記変換手段より出力される画像データに基づく背景画像とを合成する合成手段と
を備えたことを特徴とするサブピクチャデータ作成装置。
【請求項２】
前記変換手段は、縦横比が９対１６のディスプレイにおいて表示するための表示形態に対応して作成された背景画像の画像データを、縦横比が３対４のディスプレイにおいて表示するための表示形態に対応した画像データに変換することを特徴とする請求項１記載のサブピクチャデータ作成装置。
【請求項３】
前記サブピクチャデータ作成手段は、サブピクチャ用の画像信号を符号化する符号化手段を含むことを特徴とする請求項１記載のサブピクチャデータ作成装置。
【請求項４】
表示形態が変換され得る主映像に対して合成されるサブピクチャを表示するためのサブピクチャデータを作成するサブピクチャデータ作成手段と、
このサブピクチャデータ作成手段によって作成されるサブピクチャデータに基づくサブピクチャの表示状態を確認するためにサブピクチャと合成される背景画像の画像データを入力し、主映像における変換後の表示形態に対応した画像データに変換する機能を有し、変換後の画像データと変換前の画像データとを選択的に出力する変換手段と、
前記サブピクチャデータ作成手段によって作成されるサブピクチャデータに対応するサブピクチャと前記変換手段より出力される画像データに基づく背景画像とを合成する合成手段と
を備えたことを特徴とするサブピクチャデータ作成装置。
【請求項５】
前記変換手段は、縦横比が９対１６のディスプレイにおいて表示するための表示形態に対応して作成された背景画像の画像データを、縦横比が３対４のディスプレイにおいて表示するための表示形態に対応した画像データに変換する機能を有することを特徴とする請求項４記載のサブピクチャデータ作成装置。
【請求項６】
前記サブピクチャデータ作成手段は、サブピクチャ用の画像信号を符号化する符号化手段を含むことを特徴とする請求項４記載のサブピクチャデータ作成装置。
【請求項７】
表示形態が変換され得る主映像に対して合成されるサブピクチャを表示するためのサブピクチャデータを作成するサブピクチャデータ作成ステップと、
このサブピクチャデータ作成ステップによって作成されるサブピクチャデータに対応するサブピクチャの表示状態を確認するためにサブピクチャと合成される背景画像の画像データを入力し、主映像における変換後の表示形態に対応した画像データに変換して出力する変換ステップと、
前記サブピクチャデータ作成ステップによって作成されるサブピクチャデータに対応するサブピクチャと前記変換ステップで出力される画像データに基づく背景画像とを合成する合成ステップと
を含むことを特徴とするサブピクチャデータ作成方法。
【請求項８】
前記変換ステップにおいて、縦横比が９対１６のディスプレイにおいて表示するための表示形態に対応して作成された背景画像の画像データを、縦横比が３対４のディスプレイにおいて表示するための表示形態に対応した画像データに変換することを特徴とする請求項７記載のサブピクチャデータ作成方法。
【請求項９】
前記サブピクチャデータ作成ステップが、サブピクチャ用の画像信号を符号化する符号化ステップを含むことを特徴とする請求項７記載のサブピクチャデータ作成方法。
【請求項１０】
表示形態が変換され得る主映像に対して合成されるサブピクチャを表示するためのサブピクチャデータを作成するサブピクチャデータ作成ステップと、
このサブピクチャデータ作成ステップによって作成されるサブピクチャデータに基づくサブピクチャの表示状態を確認するためにサブピクチャと合成される背景画像の画像データを入力し、主映像における変換後の表示形態に対応した画像データに変換し、変換後の画像データと変換前の画像データとを選択的に出力する変換ステップと、
前記サブピクチャデータ作成ステップによって作成されるサブピクチャデータに対応するサブピクチャと前記変換ステップで出力される画像データに基づく背景画像とを合成する合成ステップと
を含むことを特徴とするサブピクチャデータ作成方法。
【請求項１１】
前記変換ステップにおいて、縦横比が９対１６のディスプレイにおいて表示するための表示形態に対応して作成された背景画像の画像データを、縦横比が３対４のディスプレイにおいて表示するための表示形態に対応した画像データに変換することを特徴とする請求項１０記載のサブピクチャデータ作成方法。
【請求項１２】
前記サブピクチャデータ作成ステップが、サブピクチャ用の画像信号を符号化する符号化ステップを含むことを特徴とする請求項１０記載のサブピクチャデータ作成方法。
【手続補正３】
【補正対象書類名】明細書
【補正対象項目名】００１０
【補正方法】変更
【補正の内容】
【００１０】
【課題を解決するための手段】
請求項１記載のサブピクチャデータ作成装置は、表示形態が変換され得る主映像に対して合成されるサブピクチャを表示するためのサブピクチャデータを作成するサブピクチャデータ作成手段と、このサブピクチャデータ作成手段によって作成されるサブピクチャデータに対応するサブピクチャの表示状態を確認するためにサブピクチャと合成される背景画像の画像データを入力し、主映像における変換後の表示形態に対応した画像データに変換して出力する変換手段と、サブピクチャデータ作成手段によって作成されたサブピクチャデータに対応するサブピクチャと変換手段より出力される画像データに基づく背景画像とを合成する合成手段とを備えたものである。
請求項７記載のサブピクチャデータ作成方法は、表示形態が変換され得る主映像に対して合成されるサブピクチャを表示するためのサブピクチャデータを作成するサブピクチャデータ作成ステップと、このサブピクチャデータ作成ステップによって作成されるサブピクチャデータに対応するサブピクチャの表示状態を確認するためにサブピクチャと合成される背景画像の画像データを入力し、主映像における変換後の表示形態に対応した画像データに変換して出力する変換ステップと、サブピクチャデータ作成ステップによって作成されたサブピクチャデータに対応するサブピクチャと変換ステップで出力される画像データに基づく背景画像とを合成する合成ステップとを含むものである。
【手続補正４】
【補正対象書類名】明細書
【補正対象項目名】００１１
【補正方法】変更
【補正の内容】
【００１１】
請求項４記載のサブピクチャデータ作成装置は、表示形態が変換され得る主映像に対して合成されるサブピクチャを表示するためのサブピクチャデータを作成するサブピクチャデータ作成手段と、このサブピクチャデータ作成手段によって作成されるサブピクチャデータに対応するサブピクチャの表示状態を確認するためにサブピクチャと合成される背景画像の画像データを入力し、主映像における変換後の表示形態に対応した画像データに変換する機能を有し、変換後の画像データと変換前の画像データとを選択的に出力する変換手段と、サブピクチャデータ作成手段によって作成されるサブピクチャデータに対応するサブピクチャと変換手段より出力される画像データに基づく背景画像とを合成する合成手段とを備えたものである。
請求項１０記載のサブピクチャデータ作成方法は、表示形態が変換され得る主映像に対して合成されるサブピクチャを表示するためのサブピクチャデータを作成するサブピクチャデータ作成ステップと、このサブピクチャデータ作成ステップによって作成されるサブピクチャデータに基づくサブピクチャの表示状態を確認するためにサブピクチャと合成される背景画像の画像データを入力し、主映像における変換後の表示形態に対応した画像データに変換し、変換後の画像データと変換前の画像データとを選択的に出力する変換ステップと、サブピクチャデータ作成ステップによって作成されるサブピクチャデータに対応するサブピクチャと変換ステップで出力される画像データに基づく背景画像とを合成する合成ステップとを含むものである。
【手続補正５】
【補正対象書類名】明細書
【補正対象項目名】００１２
【補正方法】変更
【補正の内容】
【００１２】
請求項１記載のサブピクチャデータ作成装置または請求項７記載のサブピクチャデータ作成方法では、サブピクチャデータ作成手段（サブピクチャデータ作成ステップ）によって、表示形態が変換され得る主映像に対して合成されるサブピクチャを表示するためのサブピクチャデータが作成される。また、変換手段（変換ステップ）によって、サブピクチャデータ作成手段（サブピクチャデータ作成ステップ）によって作成されるサブピクチャデータに対応するサブピクチャの表示状態を確認するためにサブピクチャと合成される背景画像の画像データが、主映像における変換後の表示形態に対応した画像データに変換されて出力される。そして、合成手段（合成ステップ）によって、サブピクチャデータ作成手段（サブピクチャデータ作成ステップ）によって作成されるサブピクチャデータに対応するサブピクチャと変換手段（変換ステップ）により出力される画像データに基づく背景画像とが合成される。
【手続補正６】
【補正対象書類名】明細書
【補正対象項目名】００１３
【補正方法】変更
【補正の内容】
【００１３】
請求項４記載のサブピクチャデータ作成装置または請求項１０記載のサブピクチャデータ作成方法では、サブピクチャデータ作成手段（サブピクチャデータ作成ステップ）によって、表示形態が変換され得る主映像に対して合成されるサブピクチャを表示するためのサブピクチャデータが作成される。また、変換手段（変換ステップ）によって、サブピクチャと合成される背景画像を主映像における変換後の表示形態に対応するように変換した後の画像データと変換前の画像データとが選択的に出力される。そして、合成手段（合成ステップ）によって、サブピクチャデータ作成手段（サブピクチャデータ作成ステップ）によって作成されるサブピクチャデータに対応するサブピクチャと変換手段（変換ステップ）により出力される画像データに基づく背景画像とが合成される。
【手続補正７】
【補正対象書類名】明細書
【補正対象項目名】００４１
【補正方法】変更
【補正の内容】
【００４１】
【発明の効果】
以上説明したように、請求項１ないし３のいずれかに記載のサブピクチャデータ作成装置または請求項７ないし９のいずれかに記載のサブピクチャデータ作成方法によれば、変換手段（変換ステップ）によって、サブピクチャと合成される背景画像の画像データを、主映像における変換後の表示形態に対応した画像データに変換し、合成手段（合成ステップ）によって、サブピクチャデータ作成手段（サブピクチャデータ作成ステップ）によって作成されるサブピクチャデータに対応するサブピクチャと変換手段（変換ステップ）により出力される画像データに基づく背景画像とを合成するようにしたので、表示形態が変換され得る主映像に対して合成されるサブピクチャを表示するためのサブピクチャデータを作成する際に、合成状態を確認しながら、表示形態が変換された後の主映像に対応したサブピクチャデータを作成することが可能となるという効果を奏する。
【手続補正８】
【補正対象書類名】明細書
【補正対象項目名】００４２
【補正方法】変更
【補正の内容】
【００４２】
また、請求項４ないし６のいずれかに記載のサブピクチャデータ作成装置または請求項１０ないし１２のいずれかに記載のサブピクチャデータ作成方法によれば、変換手段（変換ステップ）によって、サブピクチャと合成される背景画像を主映像における変換後の表示形態に対応するように変換した後の画像データと変換前の画像データとを選択的に出力し、合成手段（合成ステップ）によって、サブピクチャデータ作成手段（サブピクチャデータ作成ステップ）によって作成されるサブピクチャデータに対応するサブピクチャと変換手段（変換ステップ）により出力される画像データに基づく背景画像とを合成するようにしたので、表示形態が変換され得る主映像に対して合成されるサブピクチャを表示するためのサブピクチャデータを作成する際に、合成状態を確認しながら、表示形態が変換されない主映像に対応したサブピクチャデータと、表示形態が変換された後の主映像に対応したサブピクチャデータとを作成することが可能となるという効果を奏する。